(57)【要約】【課題】従来の除草用鍬の周囲は単なる刃のみであるので、太い草の根もカットできるとともに、削り取った草を掻き集める熊手機能を有する草削り鍬を提供する。【解決手段】平面形状が逆５角形状を成す鍬本体２の縦中央部３より左右面を上方に傾斜させて成る前部辺に鋸刃４を設け、その対向側の後部底辺部には大きな凹凸で形成される熊手部５を設けるとともに、前記鍬本体２の両サイド辺に草削り刃６を形成した鍬本体２の縦中央部３に軸管７を取り付け、その軸管７に柄８を取り付けた草削り鍬１とする。【選択図】図１
0003124377.tif 000002
【実用新案登録請求の範囲】
【請求項１】
平面形状が逆５角形状を成す鍬本体の縦中央部の左右面をわずかに上方に傾斜させた前部辺に鋸刃を設け、その対向側の後部底辺部に大きな凹凸で形成される熊手部を設けるとともに、前記鍬本体側の両サイド辺に草削り刃を形成して成る鍬本体の縦中央部に軸管を取り付け、その軸管に柄を取り付けた構成を特徴とする草削り鍬。
【請求項２】
上記する鍬本体に取り付ける軸管が、軸管下部に取り付けた曲げ軸棒を前記鍬本体に取り付けて成る請求項１に記載する草削り鍬。
【考案の詳細な説明】
【技術分野】
【０００１】  本考案は、逆５角形状の鍬の前部に鋸刃を設け、その対向側後部に熊手部を設け両サイドに草削り刃を設けることで、太い草の根でも掻き削り、かつ、切り取った雑草を掻き集められる草削り鍬に関する。
【背景技術】
【０００２】  従来、除草用の鍬として、逆三角状の鍬の左右に大刃を設け、底辺部に小刃を設けることで使用範囲を大きく使える除草用鍬の技術があった。（例えば、特許文献１参照）【０００３】  さらに三角鍬の頭部にＶ字状の切り欠きを付設して、頭部に２個の鋭角刃を形成することで、除草作業をスムーズに行える鍬の技術がある。（例えば、特許文献１参照）
【特許文献１】  特開平７−２１３１０１公報
【特許文献２】  特開２００４−７３０１８公報
【考案の開示】
【考案が解決しようとする課題】
【０００４】  上記するような除草用の鍬の技術が提供されており、それぞれ一定の除草機能はある。しかし、これらは逆三角状の鍬の左右又は底辺部に刃を設けただけであるため、いずれも次のような不便や欠点がある。【０００５】  まず、特開平７−２１３１０１公報による技術は、逆三角状の左右及び底辺部に単なる刃を付けただけの除草用鍬であるので、草の根元が細い雑草の場合はカットできるが、太い草の根の場合は切りにくいため、一度ではカットしにくい除草用鍬である。【０００６】  次に、特開２００４−７３０１８公報による鍬は、底辺側にＶ字状の切り欠きを設けて頭部に鋭角刃を形成することで除草作業を楽にするものであるが、この技術も前記タイプと同様に太い草の根は切りにくい。加えて、いずれのタイプも雑草をカットする機能しかないので、削り取ったり切り取った雑草を掻き集めたりするには別の器具を用意する必要があるなど、不便や欠点が多い除草用鍬である。
【課題を解決するための手段】
【０００７】  本考案は上記するような不便や欠点を解消するために、請求項１においては、平面形状が逆５角形状を成す鍬本体の縦中央部の左右面を少し傾斜させて成る前部辺に鋸刃を設け、その対向側の後部底辺部に大きな凹凸で形成される熊手部を設けるとともに、前記鍬本体側の両サイド辺に草削り刃を形成して成る鍬本体の縦中央部に軸管を取り付け、その軸管に柄を取り付けることで、太い草の根も掻き削り、かつ、切り取った雑草を掻き集められるものとする。【０００８】  請求項２においては、上記する鍬本体に取り付ける軸管が、  軸管下部に取り付けた曲げ軸棒を前記鍬本体に取り付けることで、柄の力が鍬本体の全体に伝わり易くする。
【考案の効果】
【０００９】  本考案による除草用の草削り鍬は、鍬本体の前部に鋸刃を設けるとともに左右に草削り刃を備えているので、地面に近い雑草の根元から切ることはもとより、地面の中の雑草の根そのものも掻き削るようにして容易にカットすることができる。加えて、前部は鋸刃を備えているので太い草の根以外に、細くて若い雑木なども一緒に切れるなど、他の除草用鍬と異なる機能的な草削り鍬である。【００１０】  さらに上記する鍬本体の後部には大きな凹凸による熊手部を有するので、掻き削ったり切り取った雑草を集める時は、鍬本体の向きを変えるだけで容易に雑草を掻き集められる熊手としても使える、掻き削りと掻き集めの複合機能を有する従来には見られない複合機能を持つ草削り鍬を提供することができる。
【考案を実施するための最良の形態】
【００１１】  雑草の根元はもとより、地面の中にある太い根まで効果的に掻き削って除草できるものとするために、逆５角形状を成す鍬の前部に鋸刃を、その対向側の底辺部に熊手部を形成する両サイドに草削り刃を設けた草削り鍬とする。
【実施例１】
【００１２】  本考案による実施例１の草削り鍬を、図１に示す斜視図と図２に示すＡ−Ａ線拡大断面図で説明する。草削り鍬１の平面形状は、前方になるにしたがい両サイドが狭くなる逆５角形状を成す鍬本体２とし、その鍬本体２の縦中央部３の左右面は少し傾斜して約１４０度ほどの曲げ角度を形成する前部の鋭角辺に鋸刃４を設け、その対向側の底辺部には大きな凹凸による熊手部５を設けるとともに、前記する鍬本体２の両サイド辺に草削り刃６，６を形成して成る前記縦中央部３に軸管７を垂直に溶接し、その軸管７に一定の長さの柄８を差し込んで止めネジ９で固定して成る草削り鍬１を構成する。【００１３】  実施例１の草削り鍬１は、逆５角形状を成す鍬本体２の左右面が緩やかに上方に曲げ形成されるとともに、前部鋭角辺に細かい鋸刃４を設けているので、除草する際に草の根がかなり太くても前記した鋸刃４を根元の地面に打ち込むことで掻き削るようにしてカットできるとともに、両サイド辺にも草削り刃６，６を設けているので、左右方向に動かして除草作業ができる。加えて、後方の底辺部には大きな凹凸の熊手部５を設けているので、掻き削ったり切り取った雑草を掻き集める時は、鍬本体２の向きを変えると熊手としての機能を有する草削り鍬１である。
【実施例２】
【００１４】  実施例２の草削り鍬を図３に示す一部省略した斜視図で説明する。実施例２の草削り鍬１の基本構成は前記した実施例１と同じであるが、柄８を取り付ける軸管７の形態が異なる。実施例２における鍬本体２は、逆５角形状の前部に鋸刃４を、その対向側に熊手部５を設け、かつ、その両サイド辺には草削り刃６，６を設けて、中ほどに縦中央部３有する鍬本体２とするが、その鍬本体２に取り付ける軸管７は、下部にＬ字状の曲げ軸棒１０を取り付けたものとし、その曲げ軸棒１０を前記する鍬本体２の縦中央部３に溶接して成る草削り鍬１を構成する。【００１５】  実施例２の草削り鍬１の基本構成は実施例１タイプと同じであるが、鍬本体２に取り付ける柄８の軸管７は、軸管７の下部に取り付けたＬ字状の曲げ軸棒１０を鍬本体２の中央に溶接するので、接合面が広くなって強化されることにより、柄８の力が鍬本体２の全体に伝わる草削り鍬１を形成する。【００１６】  本考案による草削り鍬１の平面形状は、前部方向に向けて狭くした逆５角形状の鍬本体２であるが、その角度は問わないし正角形状に近い形でもよい。また鍬本体２の曲げ角度も問わないうえ、図示する熊手部５は三角状の凹凸であるが、これも大きな櫛刃状であっても差し支えない、また、柄８を取り付ける軸管７は垂直であるが、少し傾斜した角度で取り付けてもよいものであり、いずれも特に限定されるものではない。
【図面の簡単な説明】
【００１７】
【図１】  本考案の実施例１の草削り鍬を示す斜視図である。
【図２】  実施例１の草削り鍬を示すＡ−Ａ線拡大断面図である。
【図３】  実施例２の草削り鍬を示す一部省略した斜視図である。
【符号の説明】
【００１８】  １  草削り鍬
２  鍬本体
３  縦中央部
４  鋸刃
５  熊手部
６  草削り刃
７  軸管
８  柄
９  止めネジ
１０  曲げ軸棒
【図１】
0003124377.tif 000003
【図２】
0003124377.tif 000004
【図３】
0003124377.tif 000005